(57)【要約】【課題】簡単な構成で貯蔵室内を湿度コントロールすること。【解決手段】実施例の冷蔵庫は、冷気が循環する貯蔵室と、貯蔵室内に設けられ、食品が収納される収納空間を有する食品容器と、食品容器に設けられた湿度調整容器と、湿度調整容器内に設けられた湿度調整部材と、を備え、湿度調整容器は、前から見て収納空間の左端および右端間の全域を占める大きさに設定され、湿度調整容器には、下に向けて開口する窓部が設けられている。【選択図】図２
2019056557.tif 000002
【特許請求の範囲】
【請求項１】
冷気が循環する貯蔵室と、
前記貯蔵室内に設けられ、食品が収納される収納空間を有する食品容器と、
前記食品容器に設けられた湿度調整容器と、
前記湿度調整容器内に設けられた湿度調整部材と、を備え、
前記湿度調整容器は、前から見て前記収納空間の左端および右端間の全域を占める大きさに設定され、
前記湿度調整容器には、下に向けて開口する窓部が設けられている冷蔵庫。
【発明の詳細な説明】
【技術分野】
【０００１】
実施例は冷蔵庫に関する。
【背景技術】
【０００２】
冷蔵庫には加湿機構を備えたものがある。この加湿機構は貯蔵室内を加湿することで野菜の鮮度を長持ちさせるものであり、加湿機構としては超音波加湿装置または静電霧化装置等が提案されている。
【先行技術文献】
【特許文献】
【０００３】
【特許文献１】特開平１０−２３８９３４号公報
【発明の概要】
【発明が解決しようとする課題】
【０００４】
上記従来の冷蔵庫の場合には専用の電源等を必要とするので、余分なスペースおよび複雑な構造が必要となる。しかも、貯蔵室内に野菜等が多量に収納されている場合には貯蔵室内の水分量が過剰になるので、貯蔵室内で結露が生じる虞があった。
【課題を解決するための手段】
【０００５】
実施例の冷蔵庫は、冷気が循環する貯蔵室と、貯蔵室内に設けられ、食品が収納される収納空間を有する食品容器と、食品容器に設けられた湿度調整容器と、湿度調整容器内に設けられた湿度調整部材と、を備え、湿度調整容器は、前から見て収納空間の左端および右端間の全域を占める大きさに設定され、湿度調整容器には、下に向けて開口する窓部が設けられている。
【図面の簡単な説明】
【０００６】
【図１】実施例１を示す図（冷蔵庫の内部構成を示す断面図）
【図２】下段野菜容器と上段野菜容器と調湿カセットを示す図
【図３】後ケースと前ケースと調湿シートを分解状態で前から示す図
【図４】後ケースと前ケースと調湿シートを分解状態で後から示す図
【図５】図２のＸ５線に沿う断面図
【図６】図３のＸ６線に沿う断面図
【図７】図２のＸ７線に沿う断面図
【図８】調湿シートを示す図
【図９】実施例２を示す図１相当図
【図１０】実施例３を示す図１相当図
【図１１】実施例４を示す図１相当図
【図１２】実施例５を示す図１相当図
【発明を実施するための形態】
【実施例１】
【０００７】
図１のキャビネット１は前面が開口する縦長な四角箱状をなすものであり、断熱性の左側壁と右側壁と底壁と天壁と後壁を有している。このキャビネット１内には非断熱性の上仕切板２が固定されており、キャビネット１内には上仕切板２より上に位置して冷蔵室３が形成されている。このキャビネット１にはＲ扉４が装着されており、冷蔵室３の前面はＲ扉４が操作されることに応じて開閉される。
【０００８】
キャビネット１内には、図１に示すように、断熱性の下仕切板５が固定されており、上仕切板２および下仕切板５間に位置して野菜室６が形成され、下仕切板５の下に位置して冷凍室が形成されている。このキャビネット１にはＶ扉７が装着されている。このＶ扉７は閉鎖状態および閉鎖状態に比べて前の開放状態間で前後方向へ移動可能にされたものであり、野菜室６の前面はＶ扉７の閉鎖状態で閉鎖され、Ｖ扉７の開放状態で開放される。この野菜室６は貯蔵室に相当する。
【０００９】
Ｖ扉７には、図１に示すように、上面が開口する下段野菜容器８が装着されている。この下段野菜容器８は有色不透明なものであり、図２に示すように、前板と後板と左側板と右側板と底板を有している。この下段野菜容器８はＶ扉７と共に前後方向へ移動可能にされたものであり、Ｖ扉７の閉鎖状態で野菜室６内に収納される。この下段野菜容器８はＶ扉７の開放状態で野菜室６内から前へ引出されるものであり、下段野菜容器８内に対してはＶ扉７の開放状態で野菜および果物等が上面を通して出し入れされる。
【００１０】
下段野菜容器８内には、図２に示すように、上段野菜容器９が収納されている。この上段野菜容器９は無色透明なものであり、食品容器に相当する。この上段野菜容器９は上面が開口するものであり、前板と後板と左側板と右側板と底板を有している。この上段野菜容器９の内部空間を収納空間１０と称する。
【００１１】
上段野菜容器９の上端部には、図２に示すように、フランジ１１が一体成形されている。このフランジ１１は上から見て上段野菜容器９を取り囲む四角枠状をなすものであり、上段野菜容器９はフランジ１１が下段野菜容器８の左側板と右側板と後板の上端面によって支えられることで下段野菜容器８内に収納されている。この上段野菜容器９はＶ扉７が前後方向へ操作されることに応じて下段野菜容器８と共に移動するものであり、Ｖ扉７の閉鎖状態で野菜室６内に収納される。この上段野菜容器９はＶ扉７の開放状態で野菜室６内から前へ引出されるものであり、上段野菜容器９の収納空間１０内に対してはＶ扉７の開放状態で野菜および果物等が上面を通して出し入れされる。
【００１２】
野菜室６内の後端部には、図１に示すように、冷気ダクト１２の下端部が固定されている。この冷気ダクト１２は前後方向へ指向するものであり、冷気ダクト１２のうち下端部を除く残り部分は冷蔵室３内の後端部に固定されている。この冷気ダクト１２は下仕切板２より後に配置されたものであり、下仕切板２および冷気ダクト１２間には隙間状の冷気通過口１３が形成されている。
【００１３】
冷気ダクト１２には、図１に示すように、冷蔵室３内に位置して複数の吐出口１４が形成され、野菜室６内に位置して吸込口１５が形成されている。この冷気ダクト１２にはファン装置１６が固定されている。このファン装置１６はファンモータの回転軸にファンを連結してなるものであり、ファンモータの運転状態ではファンが回転することに応じて野菜室６内の空気が吸込口１５から冷気ダクト１２内に吸引される。この空気は冷気ダクト１２内に沿って下から上へ流れ、冷気ダクト１２の複数の吐出口１４から冷蔵室３内に吐出される。この空気は冷蔵室３内から冷気通過口１３を通して野菜室６内に進入し、冷気ダクト１２の吸込口１５から冷気ダクト１２内に吸引される。この冷気ダクト１２内にはエバポレータ１７が固定されている。このエバポレータ１７はコンプレッサからコンデンサを通して冷媒が供給されるものであり、冷蔵室３内と野菜室６内と冷気ダクト１２内との間で循環する空気を冷却する。
【００１４】
上段野菜容器９内には、図２に示すように、調湿カセット１８が収納されている。この調湿カセット１８は調湿容器に相当するものであり、前から見て上段野菜容器９の収納空間１０の左端および右端間の全域を占める大きさに設定されている。この調湿カセット１８は、図３に示すように、後ケース１９および前ケース２０間を着脱可能に接合することで構成されたものであり、後ケース１９および前ケース２０の詳細は次の通りである。
［１］後ケース１９について
後ケース１９は有色不透明な合成樹脂を材料に成形されたものであり、後容器に相当する。この後ケース１９は前面が開口するものであり、図３に示すように、後板２１および後枠２２を有している。この後枠２２は前後方向へ指向する筒状をなすものであり、前から見て横長な形状に設定されている。この後枠２２は上辺部と下辺部と左辺部と右辺部を有している。左辺部および右辺部は後枠２２のうち左右方向に相互に対向する部分であり、上辺部および下辺部は後枠２２のうち上下方向に相互に対向する部分であり、後枠２２の上辺部には複数の係合孔２３が形成されている。
【００１５】
後板２１は、図３に示すように、後枠２２の後面を塞ぐものであり、前から見て横長な輪郭形状を有している。この後板２２には、図４に示すように、複数の係合凹部２４が形成されている。これら複数の係合凹部２４のそれぞれは後板２１の後面に対して前へ凹むものであり、後板２１の下端部に配置されている。
【００１６】
後板２１には、図４に示すように、２つの引掛部２５が一体成形されている。これら２つの引掛部２５のそれぞれは後板２１の上端面から後へ水平に突出する突出部と突出部の後端から下へ垂直に延びる延出部を有するものであり、図５に示すように、後ケース１９は２つの引掛部２５が上段野菜容器９のフランジ１１に上から引掛けられることで上段野菜容器９の収納空間１０内の後端部に吊下げられている。
【００１７】
後板２１には、図３に示すように、左右方向へ指向する複数の後羽板２６が一体成形されている。これら複数の後羽板２６のそれぞれは、図５に示すように、前から後に向けて下降傾斜するものであり、上下方向に隣接する後羽板２６間には前から後に向けて下降傾斜する隙間状の後空気通路２７が形成されている。これら複数の後空気通路２７のそれぞれは空気通路に相当する。
【００１８】
後板２１には、図３に示すように、複数の後リブ板２８が一体成形されている。これら複数の後リブ板２８のそれぞれは後板２１の前面から前へ突出するものであり、後枠２２の上辺部および下辺部間を連結している。これら複数の後リブ板２８のそれぞれはリブに相当するものであり、図５に示すように、前端面が後羽板２６の前端面に比べて前へ突出している。
【００１９】
後板２１には、図４に示すように、上半部に位置して複数のスペーサ板２９が一体成形されている。これら複数のスペーサ板２９のそれぞれは後板２１の後面から後へ突出するものであり、複数のスペーサ板２９のうち２つのそれぞれは引掛部２５の左右方向の中央部に配置されている。これら複数のスペーサ板２９のそれぞれは、図５に示すように、上段野菜容器９の後板の内面に前から接触するものであり、後ケース１９の後板２１および上段野菜容器９の後板間に隙間を形成している。これら複数のスペーサ板２９のそれぞれはスペーサに相当する。
【００２０】
複数のスペーサ板２９のそれぞれの下端部には、図５に示すように、傾斜面３０が形成されている。これら複数の傾斜面３０のそれぞれは前から後に向けて上昇傾斜するものであり、使用者が２つの引掛部２５を上段野菜容器９のフランジ１１に上から引掛けるときにスペーサ板２９がフランジ１１に引掛かることを防止する。
【００２１】
後板２１には、図４に示すように、下端部に位置して複数の突部３１が一体成形されている。これら複数の突部３１のそれぞれは後板２１の後面から後へ突出するものであり、図５に示すように、スペーサ板２９に比べて前後方向の高さ寸法が小さく設定されている。これら複数の突部３１のそれぞれは半球状をなすものであり、後カバー１９に前から後への外力が作用していない後カバー１９の正規姿勢で上段野菜容器９の後板に前から隙間を介して対向する。この後カバー１９は前から後への外力が作用した場合に２つの引掛部２５を基準に前から後に向けて下降する傾斜状態となるものであり、複数の突部３１のそれぞれは後カバー１９が傾斜状態となった場合に上段野菜容器９の後板に前から点接触する。
【００２２】
後枠２２には、図３に示すように、下辺部に位置して窓部３２が形成されている。この窓部３２は切欠状をなすものであり、下辺部の左右方向の中央部に配置されている。
［２］前ケース２０について
前ケース２０は後ケース１９と同一の色彩の有色不透明な合成樹脂を材料に成形されたものであり、前容器に相当する。この前ケース２０は後面が開口するものであり、図３に示すように、前板４１および前枠４２を有している。この前枠４２は前後方向へ指向する筒状をなすものであり、上辺部と下辺部と左辺部と右辺部を有している。上辺部および下辺部は前枠４２のうち上下方向に対向するものであり、左辺部および右辺部は前枠４２のうち左右方向に対向するものである。この前枠４２は、図５に示すように、後ケース１９の後枠２２の外周面に嵌合されたものであり、前枠４２の左辺部は上段野菜容器９の左側板の内面に接触し、前枠４２の右辺部は上段野菜容器９の右側板の内面に接触している。
【００２３】
前枠４２には、図３に示すように、複数の係合突部４３が一体成形されている。これら複数の係合突部４３のそれぞれは前枠４２の上辺部に配置されたものであり、図６に示すように、上辺部の下面から下へ突出している。これら複数の係合突部４３のそれぞれは左右方向から見た場合に前から後に向けて高さ寸法が小さくなる三角形状をなすものであり、前枠４２が後ケース１９の後枠２２の外周面に嵌合されることに応じて後枠２２の係合孔２３内に着脱可能に係合する。
【００２４】
前板４１は、図４に示すように、前枠４２の前面を塞ぐものであり、後ケース１９の後板２１と同一の輪郭形状を有している。この前板４１には複数の係合爪部４４が一体成形されている。これら複数の係合爪部４４のそれぞれは前板４１の後面から後へ突出するものであり、前端が前板４１に弾性変形可能に連結された片持ち梁状をなしている。これら複数の係合爪部４４のそれぞれは前枠４２が後枠２２の外周面に嵌合されるときに弾性変形するものであり、図５に示すように、弾性変形することに応じて後ケース１９の係合凹部２４に着脱可能に係合する。
【００２５】
前板４１には、図４に示すように、左右方向へ指向する複数の前羽板４５が一体成形されている。これら複数の前羽板４５のそれぞれは、図５に示すように、前から後に向けて上昇傾斜するものであり、上下方向に隣接する前羽板４５間には前から後に向けて上昇傾斜する隙間状の前空気通路４６が形成されている。この前空気通路４６は空気通路に相当するものであり、「複数の前空気通路４６の合計の開口面積＋複数の後空気通路２７の合計の開口面積」は「後板２１の面積＋前板４１の面積」の１５％以上に設定されている。
【００２６】
前板４１には、図４に示すように、複数の前リブ板４７が一体成形されている。これら複数の前リブ板４７のそれぞれは前板４１の後面から後へ突出するものであり、前枠４２の上辺部および下辺部間を連結している。これら複数の前リブ板４７のそれぞれはリブに相当するものであり、図５に示すように、後端面が前羽板４５の後端面に比べて後へ突出している。
【００２７】
前板４１には、図４に示すように、左上隅部および左下隅部に位置して左保持部４８が一体成形され、右上隅部および右下隅部に位置して右保持部４９が一体成形されている。これら左保持部４８および右保持部４９の４つのそれぞれは前板４１の後面から後へ突出するものであり、図５に示すように、前リブ板４７に比べて後へ突出している。これら左保持部４８および右保持部４９のそれぞれは保持部に相当する。
【００２８】
前板４１には、図４に示すように、左上隅部および左下隅部に位置して左ガイド板５０が一体成形されている。これら左ガイド板５０のそれぞれは、図７に示すように、複数の前リブ板４７のうち最も左の１つに比べて右側に配置されたものであり、右から左へ左保持部４８に接近することに応じて前後方向の高さ寸法が大きくなる三角形状に設定されている。これら左ガイド板５０のそれぞれはガイドに相当するものであり、左端が最も左の前リブ板４７の後端面に繋がっている。
【００２９】
前板４１には、図４に示すように、右上隅部および右下隅部に位置して右ガイド板５１が一体成形されている。これら右ガイド板５１のそれぞれは複数の前リブ板４７のうち最も右の１つに比べて左側に配置されたものであり、左から右へ右保持部４９に接近することに応じて前後方向の高さ寸法が大きくなる三角形状に設定されている。これら右ガイド板５１のそれぞれはガイドに相当するものであり、右端が最も右の前リブ板４７の後端面に繋がっている。
【００３０】
前枠４２には、図４に示すように、複数の手掛部５２が形成されている。これら複数の手掛部５２のそれぞれは使用者が調湿カセット１８を後ケース１９および前ケース２０に分解する場合に手指を掛ける部分であり、後面が開口する凹状をなしている。これら複数の手掛部５２のうち一部は前枠４２の上辺部に配置され、残りは前枠４２の下辺部に配置されている。
【００３１】
前枠４２には、図４に示すように、下辺部に位置して窓部５３が形成されている。この窓部５３は切欠状をなすものであり、下辺部の左右方向の中央部に配置されている。この窓部５３は後枠２２の窓部３２に下から重なるものであり、調湿カセット１８内は窓部５３および窓部３２を通して視認可能にされている。
【００３２】
調湿カセット１８内には、図３に示すように、調湿シート６１が収納されている。この調湿シート６１は前から見て横長な長方形状をなすものであり、図８に示すように、３枚の不織布６２間を接合することで構成されている。これら３枚の不織布６２のうち中間の１枚にはＢ型シリカゲルが担持されている。このＢ型シリカゲルは周囲の湿度に応じて水分の吸着量を異にする特性があり、乾燥および潤いを繰返す環境では高湿度で吸湿し且つ低湿度で放湿することに応じて湿度をコントロールする。即ち、調湿シート６１は野菜室６内の湿度をコントロールするものであり、調湿部材に相当する。
【００３３】
調湿シート６１は、図５に示すように、後ケース１９の複数の後リブ板２８および前ケース２０の複数の前リブ板４７間で挟持されており、調湿シート６１の下方には隙間が形成されている。この調湿シート６１には後ケース１９の複数の後空気通路２７および前ケース２０の複数の前空気通路４６を通して冷気が供給されるものである。この調湿シート６１は前ケース２０の２つの左保持部４８および２つの右保持部４９で囲まれた四角形の領域内に配置されたものであり、２つの左保持部４８に接触することで左側へのずれ動きが抑制され、２つの右保持部４９に接触することで右側へのずれ動きが抑制される。
【００３４】
上記実施例１によれば次の効果を奏する。
実施例の冷蔵庫は、冷気が循環する貯蔵室と、貯蔵室内に設けられ、食品が収納される収納空間を有する食品容器と、食品容器に設けられた湿度調整容器と、湿度調整容器内に設けられた湿度調整部材と、を備え、湿度調整容器は、前から見て収納空間の左端および右端間の全域を占める大きさに設定され、湿度調整容器には、下に向けて開口する窓部が設けられている。これにより、貯蔵室内に野菜等が多量に収納されている場合には貯蔵室内の水分量が過剰になるので、貯蔵室内で結露が生じる虞が低減され、簡単な構成で貯蔵室内を湿度コントロールすることができる。
上段野菜容器９内に調湿シート６１を有する調湿カセット１８を収納した。従って、野菜室６内に野菜等が多量に収納されている場合には調湿シート６１が吸湿することで野菜室６内が適正な湿度にコントロールされるので、野菜室６内で結露が生じ難くなる。しかも、野菜室６内を湿度コントロールするための専用の電源等が不要になるので、余分なスペースおよび複雑な構造が不要になる。
【００３５】
Ｂ型シリカゲルを不織布に担持することで調湿シート６１を構成した。従って、冷気のＢ型シリカゲルに対する接触面積が増えるので、調湿効果が高まる。しかも、調湿シート６１を調湿カセット１８内に収納したので、使用者が調湿シート６１に手指を触れること、および、調湿シート６１が折曲がることが防止される。しかも、調湿シート６１に汚れが付着し難くなるので、調湿シート６１にカビが発生すること、および、調湿シート６１の見栄えが低下することが防止される。
【００３６】
無色透明な上段野菜容器９内に有色不透明な調湿カセット１８を収納した。従って、Ｖ扉７の開放状態での調湿カセット１８の視認性が高まるので、使用者に対して調湿カセット１８の存在を目立たせることができる。しかも、調湿カセット１８を前から見て上段野菜容器９の収納空間１０の左端および右端間の全域を占める大きさに設定した。従って、Ｖ扉７の開放状態での調湿カセット１８の視認性が一層高まるので、使用者に対して調湿カセット１８の存在を一層目立たせることができる。しかも、Ｖ扉７を開閉する場合の振動またはキャビネット１を運搬する場合の振動で調湿カセット１８が左右方向にがたつくことが抑えられる。
【００３７】
調湿カセット１８に上から下に向けて調湿カセット１８の内部から外部へ指向する傾斜状の後空気通路２７および前空気通路４６を設けた。従って、上段野菜容器９内の野菜等から放出された水分および使用者が誤って零したジュース等の水分が後空気通路２７および前空気通路４６に沿って滴下するので、調湿シート６１に付着することが防止される。しかも、外光が調湿シート６１に照射され難くなる。従って、調湿シート６１に外光が照射されることで調湿シート６１が黄ばむことが防止され、しかも、使用者の目線で調湿シート６１の存在を目立たなくすることができる。
【００３８】
調湿カセット１８に引掛部２５を設け、引掛部２５を上段野菜容器９のフランジ１１に上から引掛けることで調湿カセット１８を上段野菜容器９内の後端部に配置したので、調湿カセット１８が冷蔵室３内から冷気通過口１３を通して野菜室６内に進入する冷気の流れの中に配置される。従って、冷蔵室３内から冷気通過口１３を通して野菜室６内に進入した冷気が調湿カセット１８の後冷気通路２７から調湿シート６１を通過し、調湿シート６１を通過した冷気が調湿カセット１８の前冷気通路４６から上段野菜容器９内に拡散するようになるので、野菜室６の除湿効果が高まる。しかも、引掛部２５を下段野菜容器８の左側板または右側板等に上から引掛けることで調湿カセット１８を上段野菜容器９内の後端部とは異なる場所に装着することもできる。
【００３９】
調湿カセット１８の後面にスペーサ板２９を設け、スペーサ板２９を上段野菜容器９の内壁面に接触させることで調湿カセット１８の後面および上段野菜容器９の内壁面間に隙間を形成したので、調湿カセット１８の後面および上段野菜容器９の内壁面間に冷気が進入し易くなる。従って、調湿カセット１８の後空気通路２７を通して調湿シート６１に多量の冷気が供給されるようになるので、調湿効果が高まる。
【００４０】
調湿カセット１８のスペーサ板２９に傾斜面３０を設けた。従って、調湿カセット１８のスペーサ板２９が上段野菜容器９のフランジ１１に引掛かることなく、調湿カセット１８の引掛部２５を上段野菜容器９のフランジ１１に円滑に引掛けることができる。
【００４１】
スペーサ板２９を引掛部２５に前から対向配置した。従って、引掛部２５およびスペーサ板２９間で上段野菜容器９のフランジ１１がホールドされるので、調湿カセット１８が上段野菜容器９に対してがたつき難くなる。
【００４２】
スペーサ板２９を引掛部２５の左右方向の中央部に配置した。従って、後ケース１９を成形する場合にスペーサ板２９を基準に左側へスライドするスライドコアの移動ストロークおよび右側へスライドするスライドコアの移動ストロークが等しくなるので、スペーサ板２９を引掛部２５の左右方向の中央部に対して一方側へ偏心させる場合に比べて成形が容易になる。
【００４３】
調湿カセット１８に後面から突出する突部３１を設けた。従って、調湿カセット１８が上段野菜容器９内の野菜等によって前から後へ押された場合に突部３１が上段野菜容器９の内壁面に接触するので、調湿カセット１８の後面および上段野菜容器９の内壁面間に隙間が確保される。しかも、突部３１を半球状に設定した。従って、上段野菜容器９の内壁面に対する突部３１の接触量が最小限で済むので、上段野菜容器９の内壁面に大きな傷が生じることが防止される。
【００４４】
調湿カセット１８の底板に窓部３２および窓部５３を設けたので、調湿カセット１８内に液体が進入した場合に窓部３２および窓部５３を通して排出されるようになる。しかも、作業者が調湿カセット１８の外部から窓部３２および窓部５３を通して調湿カセット１８の内部を目で見ることが可能になるので、製造時に調湿シート６１の欠品の有無を確認できる。
【００４５】
調湿カセット１８の後板２１に後リブ板２８を設け、前板４１に前リブ板４７を設けたので、後板２１および前板４１のそれぞれが撓むことが抑えられる。しかも、後リブ板２８を調湿シート６１の後面に接触させ、前リブ板４７を調湿シート６１の前面に接触させたので、調湿シート６１の後面および調湿カセット１８の後板２１間に隙間が確保され、調湿シート６１の前面および調湿カセット１８の前板４１間に隙間が確保される。従って、調湿シート６１が後板２１の後空気通路２６および前板４１の前空気通路４５を塞いでしまうことが防止されるので、冷気を調湿シート６１に沿って確実に流通させることができる。
【００４６】
調湿カセット１８の後板２１に複数の後リブ板２８を設け、前板４１に複数の前リブ板４７を設けた。従って、調湿シート６１に作用する外力が分散するので、調湿シート６１が外力で傷むことを防止できる。
【００４７】
後ケース１９および前ケース２０間を着脱可能に接合することで調湿カセット１８を構成した。従って、使用者が調湿カセット１８を後ケース１９および前ケース２０に分解することで調湿シート６１を取出し、調湿シート６１を清掃することができる。しかも、前ケース２０に左保持部４８および右保持部４９を設けたので、使用者が後ケース１９および前ケース２０間を接合する場合に調湿シート６１を前ケース２０内の目標位置に簡単に納めることができる。
【００４８】
前ケース２０に左ガイド板５０および右ガイド板５１を設けた。従って、調湿シート６１を前ケース２０内に納める場合に調湿シート６１の左端面が左ガイド板５０に沿って前から後へ案内されることに応じて最も左の前リブ板４７を後へ乗越え、調湿シート６１の右端面が右ガイド板５１に沿って前から後へ案内されることに応じて最も右の前リブ板４７を後へ乗越えるので、調湿シート６１の左端面および右端面のそれぞれが前リブ板４７に引掛かることを防止できる。
【００４９】
調湿カセット１８に手掛部５２を設けた。従って、使用者が調湿カセット１８を後ケース１９および前ケース２０に分解する場合に手指を手掛部５２に掛けることができるので、調湿カセット１８の分解作業が簡単になる。しかも、調湿カセット１８に後面が開口する手掛部５２を設けた。従って、調湿カセット１８が上段野菜容器９内に装着された状態で手掛部５２の存在が使用者から目立たなくなるので、調湿カセット１８の外観が損なわれることが防止される。
【００５０】
調湿シート６１が調室カセット１８内に収納された状態で調湿シート６１の下に隙間を形成したので、調室カセット１８内に水分が溜まった場合に調湿シート６１が水分で濡れることが防止される。
【実施例２】
【００５１】
冷気ダクト１２内には、図９に示すように、調湿カセット１８が固定されており、調湿カセット１８内には調湿シート６１が収納されている。この調湿カセット１８は冷気の流れに対してエバポレータ１７より下流側に配置されたものであり、調湿シート６１には乾燥した冷気が供給される。この調湿シート６１は乾燥した冷気に潤いを与えるものであり、冷蔵室３内および野菜室６内の湿度低下を防止する。
【実施例３】
【００５２】
下段野菜容器８内には、図１０に示すように、調湿カセット１８が固定されている。この下段野菜容器８は上段野菜容器９に比べて多量の野菜が収納されるものであり、野菜から抜けた水分が溜まることで冷却時に結露し易い。この下段野菜容器８の調湿カセット１８内には調湿シート６１が収納されており、調湿シート６１は下段野菜容器８内を湿度コントロールすることに応じて下段野菜容器８内で結露が生じることを防止する。
【実施例４】
【００５３】
上段野菜容器９の底板には、図１１に示すように、貫通孔が形成されている。この貫通孔は高湿度な下段野菜容器８内から低湿度な上段野菜容器９内に冷気が移動することを許容するものであり、貫通孔内には調湿カセット１８が固定されている。この調湿カセット１８内には調湿シート６１が収納されている。この調湿シート６１は下段野菜容器８内から上段野菜容器９内に向う冷気が通過するものであり、高湿度な冷気を除湿する。
【実施例５】
【００５４】
野菜室６内には、図１２に示すように、調湿カセット１８が固定されており、調湿カセット１８内には調湿シート６１が収納されている。この調湿カセット１８は下仕切板５および下段野菜容器８間に配置されたものであり、調湿シート６１は下方の冷凍室との間の温度差で下仕切板５および下段野菜容器８間に結露が生じることを防止する。
【００５５】
上記実施例１においては、有色透明な上段野菜容器９内に有色不透明な調室カセット１８を収納しても良い。この場合には上段野菜容器９および調室カセット１８間で色彩を相違させることが好ましい。
【００５６】
上記実施例１においては、後ケース１９の後板２１および前ケース２０の前板４１の一方に調湿シート６１に向けて突出するリブを設けても良い。即ち、後ケース１９の後リブ板２８または前ケース２０の前リブ板４７を廃止しても良い。
【００５７】
上記実施例１においては、前ケース２０の２つの左保持部４８に換えて後ケース１９の後板２１に２つの左保持部を設け、前ケース２０の２つの右保持部４９に換えて後ケース１９の後板２１に２つの右保持部を設け、調湿シート６１を後ケース１９の２つの左保持部および２つの右保持部で位置決めしても良い。この場合には前ケース２０の左ガイド板５０に換えて後ケース１９の後板２１に左ガイド板を設け、前ケース２０の右ガイド板５１に換えて後ケース１９の後板２１に右ガイド板を設けることが好ましい。
【００５８】
上記実施例１においては、後ケース１９の後板２１および前ケース２０の前板４１の一方に上から下に向けて調湿カセット１８の内部から外部へ指向する傾斜状の空気通路を設けても良い。即ち、後ケース１９の後空気通路２７または前ケース２０の前空気通路４６を廃止しても良い。
【００５９】
また、本明細書には、以下の発明が記載されている。
冷気が循環する貯蔵室と、前記貯蔵室内に設けられ、食品が収納される収納空間を有する透明な食品容器と、前記食品容器の収納空間内に設けられた不透明な調湿容器と、
前記調湿容器内に設けられた調湿部材を備え、前記調湿容器は、前から見て前記収納空間の左端および右端間の全域を占める大きさに設定されている冷蔵庫。
前記調湿容器には、上から下に向けて前記調湿容器の内部から外部へ指向する傾斜状の
空気通路が設けられている冷蔵庫。
前記調湿容器には、前記食品容器に引掛けられる引掛部が設けられている冷蔵庫。
前記調湿容器には、前記調湿容器の外壁面から突出するものであって前記食品容器の内壁面に接触するスペーサが設けられている冷蔵庫。
前記調湿容器には、前記調湿容器の外壁面から突出する突部が設けられている冷蔵庫。
前記調湿容器には、下に向けて開口する窓部が設けられている冷蔵庫。
前記調湿容器は、前記調湿部材を挟んで前後方向に対向する２つの内壁面を有するものであり、前記調湿容器の２つの内壁面の少なくとも一方には、前記調湿部材に向けて突出するリブが設けられている冷蔵庫。
前記調湿容器は、後面が開口する前容器および前面が開口する後容器間を着脱可能に接合することで構成されたものであり、前記前容器および前記後容器の少なくとも一方の内壁面には、前記調湿部材の位置を固定する保持部が設けられている冷蔵庫。
前記調湿容器には、使用者が手指を掛ける部分であって後面が開口する手掛部が設けられている冷蔵庫。
前記調湿容器には、前記保持部に接近することに応じて前後方向の高さ寸法が大きくなるガイドが設けられている冷蔵庫。
【００６０】
以上、本発明のいくつかの実施例を示したが、これらは例として提示したものであり、発明の範囲を限定することは意図していない。これらの新規な実施例はその他の様々な形態で実施されることが可能であり、発明の要旨を逸脱しない範囲で種々の省略、置換、変更を行うことができる。これらの実施例や変形例は発明の範囲や要旨に含まれると共に特許請求の範囲に記載された発明とその均等の範囲に含まれる。
【符号の説明】
【００６１】
６は野菜室（貯蔵室）、９は上段野菜容器（食品容器）、１０は収納空間、１８は調湿カセット（調湿容器）、１９は後ケース（後容器）、２０は前ケース（前容器）、２５は引掛部、２７は後空気通路（空気通路）、２８は後リブ板（リブ）、２９はスペーサ板（スペーサ）、３１は突部、３２は窓部、４６は前空気通路（空気通路）、４７は前リブ板（リブ）、４８は左保持部（保持部）、４９は右保持部（保持部）、５０は左ガイド板（ガイド）、５１は右ガイド板（ガイド）、５２は手掛部、５３は窓部、６１は調湿シート（調湿部材）である。
【図１】
2019056557.tif 000003
【図２】
2019056557.tif 000004
【図３】
2019056557.tif 000005
【図４】
2019056557.tif 000006
【図５】
2019056557.tif 000007
【図６】
2019056557.tif 000008
【図７】
2019056557.tif 000009
【図８】
2019056557.tif 000010
【図９】
2019056557.tif 000011
【図１０】
2019056557.tif 000012
【図１１】
2019056557.tif 000013
【図１２】
2019056557.tif 000014